(57)【要約】【課題】再生中であってもより高速にダビングが可能な記録再生装置を提供することを目的とする。【解決手段】少なくとも第１のＡＶデータと第２のＡＶデータを受信して、第１のＡＶデータを復号して第１の復号フレームとして出力し、前記第２のＡＶデータを復号して第２の復号フレームとして出力するデコーダと、第１の復号フレームを記録再生装置の外部に出力するモニタ出力部と、第１の復号フレームを記録再生装置の内部もしくは外部に設けた記録部に記録する記録制御部と、を備え、モニタ出力部から出力される第１の復号フレームは、通常再生のフレーム周期で出力される一方、第２の復号フレームは通常再生のフレーム周期とは異なるフレーム周期で出力される。【選択図】図１
2014002814.tif 000002
【特許請求の範囲】
【請求項１】
少なくとも第１の映像データと第２の映像データを受信して、前記第１の映像データを復号して第１の復号フレームとして出力し、前記第２の映像データを復号して第２の復号フレームとして出力するデコーダと、
前記第１の復号フレームを自装置の外部に出力する出力部と、
前記第１の復号フレームを自装置の内部もしくは外部に設けた記録部に記録する記録制御部と、を備え、
前記出力部から出力される第１の復号フレームは、通常再生のフレーム周期で出力される一方、前記第２の復号フレームは前記通常再生のフレーム周期とは異なるフレーム周期で出力される、記録再生装置。
【請求項２】
前記デコーダは、前記第１の映像データを記録する第１のフレームバッファと、前記第２の映像データを記録する第２のフレームバッファと、を備え、
前記第１のフレームバッファに空き領域がある場合には、前記第１の映像データを取得し、前記第１のフレームバッファに空き領域がない場合には、前記第２の映像データを取得する、請求項１に記載の記録再生装置。
【請求項３】
前記第１の復号フレームと前記第２の復号フレームとをエンコードするエンコーダを備え、
前記エンコーダは、垂直同期信号を受信したときには前記第１の復号フレームをエンコードし、それ以外の時には前記第２の復号フレームをエンコードする、請求項１に記載の記録再生装置。
【発明の詳細な説明】
【技術分野】
【０００１】
本開示は、記録再生装置に関し、特に、記録したＡＶデータの高速なダビングに関する。
【背景技術】
【０００２】
従来、一つのデコーダでリアルタイム再生とダビングを可能な記録再生装置が知られている。特許文献１に記載のコンテンツ記録再生装置は、第１のメディアから符号化コンテンツを読み出す第１のメディア管理部と、読み出された符号化コンテンツを復号化して、復号化コンテンツを出力するデコーダと、少なくともデコーダから出力された復号化コンテンツを受け取って出力する制御部と、制御部から出力された復号化コンテンツを再生する表示部と、前記符号化コンテンツが第２のメディアに記録できる場合において、表示部における復号化コンテンツの再生中に、前記第１のメディア管理部により読み出された符号化コンテンツを受け取り、第２のメディアに記録する第２のメディア管理部を備えている。これにより、他の記録メディアへのコピー終了までの待ち時間を短縮できる。
【先行技術文献】
【特許文献】
【０００３】
【特許文献１】国際公開第２００４／１０２５６号
【発明の概要】
【発明が解決しようとする課題】
【０００４】
しかしながら、上述の記録再生装置では、再生動作と並行してダビングをできるが、そのダビングの速度は通常再生の速度に留まり、高速にダビングすることはできなかった。
【０００５】
そこで、本開示の目的は、上記の問題を解決すべく、再生中であってもより高速にダビングが可能な記録再生装置を提供することを目的とする。
【課題を解決するための手段】
【０００６】
上記目的を達成するために、本開示の記録再生装置は、少なくとも第１のＡＶデータと第２のＡＶデータを受信して、第１のＡＶデータを復号して第１の復号フレームとして出力し、前記第２のＡＶデータを復号して第２の復号フレームとして出力するデコーダと、第１の復号フレームを記録再生装置の外部に出力するモニタ出力部と、第１の復号フレームを記録再生装置の内部もしくは外部に設けた記録部に記録する記録制御部と、を備え、モニタ出力部から出力される第１の復号フレームは、通常再生のフレーム周期で出力される一方、第２の復号フレームは通常再生のフレーム周期とは異なるフレーム周期で出力される。
【発明の効果】
【０００７】
上記の構成によれば、再生動作と並行してダビングをする場合により高速にダビングをすることができる。
【図面の簡単な説明】
【０００８】
【図１】実施の形態にかかる記録再生装置１００の構成を示す図
【図２】実施の形態にかかるデコーダ１０４の構成を示す図
【図３】実施の形態にかかるデコーダ１０４およびエンコーダ１０５の詳細構成を示す図
【図４】実施の形態にかかるデコーダ１０４の動作を説明するための図
【図５】実施の形態にかかるエンコーダ１０５の動作を説明するための図
【図６】実施の形態にかかる記録メモリ１０７の使用方法を説明するための図
【図７】記録メモリ１０７の動作を説明するための図
【図８】レート変換ダビングを行った場合の記録メモリの状態を示す図
【図９】他の実施の形態にかかる記録再生装置？？？の構成を示す図
【発明を実施するための形態】
【０００９】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１０】
なお、出願人は、当業者が本開示を十分に理解するために添付図面および以下の説明を提供するのであって、これらによって特許請求の範囲に記載の主題を限定することを意図するものではない。
【００１１】
［１．記録再生装置の基本構成］
図１に記録再生装置１００の構成図を示す。記録再生装置１００は、例えばＨＤＤ／ＢＤレコーダとして構成されており、ＨＤＤ１０８に記録されたＡＶデータ（符号化映像／音声データ）を光ディスクメディア１１１へのレート変換ダビングする。また、ＨＤＤ１０８に記録されているＡＶデータを再生し、モニタ１０９に出力する。また、アンテナ１１３からＡＶデータを受信し、光ディスクメディア１１１に記録する。
【００１２】
記録再生装置１００は、ＨＤＤ１０８と、ＨＤＤ１０８からＡＶデータを取得し、再生メモリ１０２に出力する入力ドライブ制御部１０１と、放送波を受信したＡＶデータを、再生メモリ１０２に出力するチューナ１１２と、再生メモリ１０２のＡＶデータを取得し、取得したＡＶデータを復号し、復号データとしてモニタ出力部１０６または、エンコーダ１０５に出力するデコーダ１０４と、エンコーダ１０５及び、モニタ出力部１０６に対して、動作基準クロックを供給すＶＳＹＮＣ生成部１０３と、ＶＳＹＮＣ生成部１０３から供給された、動作クロックのタイミングでデコーダ１０４から復号データを取得し、モニタ１０９に接続される出力端子の形式に変換し（例えばＨＤＭＩ形式への変換など）モニタ１０９に出力するモニタ出力部１０６と、デコーダ１０４から復号データを取得し符号化を行い、ＡＶデータを作成し、記録メモリ１０７へ出力するエンコーダ１０５と、記録メモリ１０７のＡＶデータを光ディスクメディア１１１に出力する出力ドライブ制御部１１０と、アンテナ１１３から構成される。
【００１３】
デコーダ１０４およびエンコーダ１０５は、記録再生装置１００内には物理的には１つしか存在しないが、時分割で使用することで複数のＡＶデータの復号、複数の復号フレームの符号化を同時に行う。詳細は後述する。
【００１４】
［２．デコーダの構成］
図２をデコーダ１０４の内部構造を示す。入力バッファ２０１は、再生メモリ１０２から取得したＡＶデータが格納する。デコーダ１０４は、入力バッファ２０１がＦＵＬＬになるように、再生メモリ１０２からＡＶデータの取得を継続する。
【００１５】
復号器２０７は、入力バッファ２０１に格納されたＡＶデータを取得し、フレーム単位（例えば映像信号の場合はピクチャ単位）で復号を行い、復号フレームを作成し、フレームバッファ２０３に出力する。なお、本開示の説明のため、復号されたデータは映像を用いて説明するが、復号されたデータに音声を含んでも良い。
【００１６】
デコーダ１０４は、フレームバッファ２０３がＦＵＬＬになるまで、復号し続ける。
つまり、いったんフレームバッファ２０３がＦＵＬＬになると、次に復号を行うタイミングは、フレームバッファ２０３内の復号フレームが取得されフレームバッファ内に空きが発生したタイミングとなる。
【００１７】
［３．ＡＶデータの再生］
次に、図１と図２を用いてＨＤＤ１０８に記録されたＡＶデータを再生し、モニタ１０９に出力する動作を説明する。デコーダ１０４は、ＨＤＤ１０８のＡＶデータが出力された、再生メモリ１０２のＡＶデータを取得し復号を行い、フレームバッファ２０３がＦＵＬＬと成るように復号フレームを出力し続ける。
【００１８】
モニタ出力部１０６は、ＶＳＹＮＣ生成部１０３から供給された動作クロックのタイミングで、フレームバッファ２０３の復号フレームを取得し、出力端子形式に変換し、モニタ１０９へ出力する。つまり、復号速度はＶＳＹＮＣ生成部１０３から供給される動作クロックによって決まる。
【００１９】
通常、モニタに出力する場合は、１倍速のタイミングでデータを出力するため、ＮＴＳＣインタレースデータの場合は、動作クロックのタイミングは５９．９４Ｈｚとなり、この周期内に復号できなければ正しく再生を行う事ができない。
【００２０】
［４．チューナからのエンコード録画］
次に、図１と図２を用いてアンテナ１１３から入力されたデータを光ディスクメディア１１１にエンコード録画する動作を説明する。
【００２１】
デコーダ１０４は、チューナ１１２から出力された、再生メモリ１０２に格納されたＡＶデータを取得し復号を行い、フレームバッファ２０３がＦＵＬＬと成るように復号フレームを出力し続ける。
【００２２】
エンコーダ１０５は、ＶＳＹＮＣ生成部１０３から供給された動作クロックのタイミングで、デコーダ１０４内のフレームバッファ２０３内の復号フレームを取得し、符号化を行い作成したＡＶデータを、記録メモリ１０７へ出力する。
記録メモリ１０７に出力されたＡＶデータは、光ディスクメディア１１１に記録される。
チューナからのエンコード録画は、１倍速でＡＶデータが再生メモリ１０２に入力されるため、ＮＴＳＣインタレースデータの場合は、動作クロックのタイミングは５９．９４Ｈｚとなり、この周期内に復号及び符号化が行われなければ正しく録画を行う事ができない。
【００２３】
［５．レート変換ダビング］
次に、図１と図２を用いて、ＨＤＤ１０８に記録されたＡＶデータを光ディスクに出来高の速度でレート変換ダビングする動作を説明する。
【００２４】
デコーダ１０４は、ＨＤＤ１０８のＡＶデータが出力された、再生メモリ１０２のＡＶデータを取得し復号を行い、フレームバッファ２０３がＦＵＬＬと成るように復号フレームを出力し続ける。
【００２５】
エンコーダ１０５は、フレームバッファ２０３の復号フレームがあれば取得し、符号化を行い作成したＡＶデータを記録メモリ１０７に出力する動作を続ける。
復号フレームがフレームバッファ２０３になければ、復号フレームがフレームバッファ２０３内に作成されるまで待つ。
記録メモリ１０７に出力されたＡＶデータは、光ディスクメディア１１１に記録される。
【００２６】
つまり、デコーダ１０４は、エンコーダ１０５により取得されフレームバッファ２０３に空きができるのを待ちデコードを行い、エンコーダ１０５は、フレームバッファ２０３に復号フレームが作成されるのを待ち復号を行うため、レート変換の速度は、デコーダ１０４とエンコーダ１０５の遅いほうの処理速度となる。
また、再生メモリ１０２に入力されるタイミングに制限はなく、モニタ１０９への出力も行わないため、一定時間内に復号または符号化を行わなくても、光ディスクメディア１１１に記録されるＡＶデータに差はでない。
【００２７】
［６．エンコーダ、デコーダの時分割使用時の構成］
図３を用いて、デコーダ１０４およびエンコーダ１０５を時分割で使用する場合の動作を説明する。例として、デコーダ１０４で同時に２本のＡＶデータの復号、エンコーダ１０５で同時に２本の復号データの符号化が行える構成を説明する。
【００２８】
復号器２０７は、入力バッファ２０１のＡＶデータを復号し、フレームバッファ２０３へ出力する。また、復号器２０７は、入力バッファ２０４のＡＶデータを復号し、フレームバッファ２０６へ出力する。２本のＡＶデータを同時に復号する場合は、復号器２０７は時分割で使用し、入力バッファ２０１と入力バッファ２０４のＡＶデータを復号し、
フレームバッファ２０３、フレームバッファ２０６へ出力する。
【００２９】
復号器２０７は物理的には１つであるが、以下説明のため、入力バッファ２０１のＡＶデータを復号する復号器を復号器２０２、入力バッファ２０４のＡＶデータを復号する復号器を復号器２０５として説明する。
【００３０】
エンコーダ１０５は、フレームバッファ２０３を符号化する。また、フレームバッファ２０６を符号化する。２本のＡＶデータを同時に符号化する場合は、エンコーダ１０５を時分割で使用し、フレームバッファ２０３とフレームバッファ２０６を符号化する。エンコーダ１０５は物理的には１つであるが、以下説明のため、フレームバッファ２０３のＡＶデータを符号化するエンコーダをエンコーダ３０４、フレームバッファ２０６のＡＶデータを符号化するエンコーダをエンコーダ３１４として説明する。
【００３１】
この構成の場合、再生メモリ１０２と記録メモリ１０７も同様に物理的に２個ずつ対応するメモリを持つ。以降の説明では、再生メモリ１０２と記録メモリ１０７はそれぞれの入力バッファおよびエンコーダに対応したメモリであることを示す。
【００３２】
［７．スケジューリング］
図３で説明した構成で、例としてチューナからのエンコード録画と、レート変換ダビングを同時に行うデコーダ１０４とエンコーダ１０５のスケジューリング方法を説明する。
以下、チューナからの録画における復号をリアルタイムデコードとし、レート変換ダビングによる復号を出来高デコードとして動作させた場合について説明する。
【００３３】
説明を簡略化するために、入力バッファ２０１をリアルタイムデコード用、入力バッファ２０４を出来高デコード用、エンコーダ３０４をリアルタイムエンコード用、エンコーダ３１４を出来高デコード用として使用するものとして説明する。
【００３４】
ここで、リアルタイムデコードとは、ＶＳＹＮＣ生成部１０３から生成された動作クロックのタイミングで復号処理する、１倍速で行うデコードである。
また、出来高デコードとは、リアルタイムデコードを阻害することなく、できる限り高速に復号する、ベストエフォート型のデコードである。
【００３５】
まず、図４を用いて、デコーダ１０４のスケジュール方法について説明する。
【００３６】
まず、リアルタイムデコードの動作をする場合について、説明する。リアルタイムデコードでは、入力バッファ２０１、復号器２０２、フレームバッファ２０３、エンコーダ３０４を用いる。
【００３７】
リアルタイムデコードでは、フレームバッファ２０３に空きがあるかについて判定する（Ｓ４０１）。判定の結果、フレームバッファ３０３に空きがある場合は、デコードをする（Ｓ４０２）。一方、フレームバッファ２０３に空きがない場合は、再び、フレームバッファ２０３に空きがあるかについて、判定する。デコードにおいては、入力バッファ２０１のＡＶデータを復号し、フレームバッファ２０３に出力する。その後、再び、フレームバッファ２０３に空きがあるかについて、判定する。
【００３８】
次に、出来高によるデコードについて、説明する。出来高によるデコードでは、入力バッファ２０４、復号器２０５、フレームバッファ２０６、エンコーダ３１４を用いる。
【００３９】
出来高によるデコードでは、まず、リアルタイムデコード中か判定する（Ｓ４１０）、リアルタイムデコード中の場合はＳ４１１、リアルタイムデコード中で無い場合は、Ｓ４１２の処理をおこなう。リアルタイムデコード中であった場合、リアルタイムのデコードバッファであるフレームバッファ２０３に空きがあるかについて判定する（Ｓ４１１）。フレームバッファ２０３に空きがある場合は、フレームバッファ２０３の空きがなくなるまで待機する。フレームバッファ２０３に空きがない場合には、フレームバッファ２０６に空きがあるかについて判定する（Ｓ４１２）。フレームバッファ２０６に空きがない場合は、再び、リアルタイムデコード中の判定（Ｓ４１０）に戻る。一方、フレームバッファ２０６に空きがある場合は、デコードをする（Ｓ４１３）。デコードにおいては、入力バッファ２０４のＡＶデータを復号し、フレームバッファ３１３へ出力する。
【００４０】
このようにすることで、リアルタイムデコードが優先的に処理され、出来高デコードが待たされる。リアルタイムデコードの最大待ち時間は、復号フレームを１枚作成する処理時間となる。
【００４１】
例えば３倍速のデコード処理能力があれば十分、リアルタイムデコードの応答時間内にリアルタイムデコードの復号が行われ、残りの処理時間を使用して出来高デコードが行われる。
【００４２】
このため、リアルタイムのデコードに対してリアルタイムでの処理を維持しつつ、出来高のデコードをすることができる。
【００４３】
次に図５を用いて、エンコーダ１０５のスケジュール方法の説明を行う。以下の例では、エンコーダ１０５において、リアルタイムエンコードと出来高エンコードをする例について説明する。
ここで、リアルタイムエンコードとは、ＶＳＹＮＣ生成部１０３から生成された動作クロックのタイミングで符号化処理する、１倍速で行うエンコードである。
また、出来高エンコードとは、リアルタイムエンコードを阻害することなく、できる限り高速に符号化するエンコードである。
【００４４】
まず、エンコーダ１０５は、リアルタイムエンコード中か判定する（Ｓ５００）。リアルタイムエンコード中の場合はＳ５０１、リアルタイムエンコード中で無い場合は、Ｓ５０３を次に行う。リアルタイムエンコード中の場合、ＶＳＹＮＣ（垂直同期信号）生成部１０３の動作クロックエッジを検出したか否かについて、判定する（Ｓ５０１）。動作クロックエッジを検出した場合、エンコーダ３０４はエンコードをする。具体的には、エンコーダ３０４は、フレームバッファ２０３の復号フレームを取得し、符号化を行い、記録メモリ１０７に記録する。一方、動作クロックエッジを検出しない場合、エンコーダ３０４は、エンコードをしない。
【００４５】
次に、エンコーダ１０５は、フレームバッファ２０６にデータがあるかを判定する（Ｓ５０３）。フレームバッファ２０６にデータがある場合、エンコーダ３１４はフレームバッファ２０６に記録されたデータをエンコードする（Ｓ５０４）。一方、フレームバッファ３１３にデータがない場合、エンコードをしない。その後、リアルタイムエンコード中の判定を行う。（Ｓ５００）。
【００４６】
このようにすることで、リアルタイムエンコードの最大待ち時間は、復号フレームを１枚符号化する時間となる。
【００４７】
例えば３倍速のエンコード処理能力があれば十分、リアルタイムエンコードの応答時間内にリアルタイムデコードの符号化が行われ、残りの処理時間を使用して出来高エンコードが行われる。
【００４８】
このように、チューナからのエンコード録画が優先しておこない、残りの時間を使用して、レート変換ダビングを、できる限り高速に動作させることができる。
【００４９】
なお、例として、チューナからのエンコード録画と、レート変換ダビングを同時に行う場合を示したが、同様に制御することで、ＡＶデータの再生とレート変換ダビングでも、ＡＶデータの再生を優先して行い、残りの時間を使用して、レート変換ダビングを、できる限り高速に動作させることができる。
【００５０】
［８．低速メディアへレート変換ダビング］
図６を用いて、記録メモリ１０７の使用方法を説明する。記録メモリ１０７はリングバッファとして構成されている。ＷＰはライトポインタであり、エンコーダ１０５から出力されるＡＶデータが記録されるアドレスであり、ＡＶデータが記録メモリ１０７に入力されたサイズだけＷＰがすすむ。ＲＰはリードポインタであり、光ディスクメディア１１１に出力する開始位置であり、出力されたサイズだけＲＰがすすむ。
【００５１】
ＳＢは記録メモリ１０７の物理サイズとした場合に、空きサイズをＳＲとすると、ＳＲは、
ＳＲ  ＝  ＳＢ  −（ＷＰ−ＲＰ）
で算出される。
【００５２】
次に、図７を用いて低速メディアに対して、ＨＤＤ１０８から光ディスクメディア１１１にレート変換ダビングを行う場合のエンコーダ１０５の制御方法を説明する。
【００５３】
まず、エンコーダ１０５は、記録メモリ１０７の空きサイズが、停止スレッシュより小さいか、停止スレッシュ以上且つ再開スレッシュ以下であるか、再開スレッシュより大きいかについて判定する（Ｓ７０１）。ここで、停止スレッシュは再開スレッシュよりも小さい。例えば、ＳＢ＝１０ＭＢ  再開スレッシュ＝２ＭＢ  停止スレッシュ８ＭＢとする。停止スレッシュは記録メモリ１０７の空きサイズの２０％である。一方、再開スレッシュは記録メモリ１０７の空きサイズの８０％である。
【００５４】
ＳＲ（空きサイズ）が停止スレッシュより小さい場合は、エンコーダ１０５はエンコードを停止する（Ｓ７０３）。再開スレッシュより大きくなった場合は、エンコーダ１０５はエンコードを再開する（Ｓ７０２）。停止スレッシュ以上且つ再開スレッシュ以下の場合は、エンコーダ１０５はエンコードをしている場合はエンコードを維持し、エンコードをしていない場合はエンコードを停止し続ける。
【００５５】
図８に低速メディアに対して、レート変換ダビングを行った場合の記録メモリの状態を図示する。
【００５６】
このようにすることで、光ディスクメディア１１１への書き込み速度が記録メモリ１０７に出力されるＡＶデータの速度よりも遅かった場合でも、記録メモリ１０７をオーバフローさせることなく、レート変換ダビングを行う事ができる。
【００５７】
［９．低速メディアからのレート変換ダビング］
図９を用いて、低速メディアディアからＨＤＤにレート変換ダビングを行う構成の説明を行う。
【００５８】
記録再生装置９００の入力ドライブ制御部１０１に、光ディスクメディア９０１が挿入され、出力ドライブ制御部１１０にＨＤＤ９０２が装着されている形態ですある。
この形態において、光ディスクメディア９０１から、ＨＤＤ９０２にレート変換ダビングを行う場合、光ディスクメディア９０１の読み込み速度が、エンコーダ１０５が出力するＡＶデータの速度よりも遅い場合、図２に示すデコーダ１０４内の入力バッファ２０１のＡＶデータが枯渇し、復号が行えなくなる。
【００５９】
通常１倍速再生しか行わない再生装置では、入力バッファ２０１へのＡＶデータの供給は、潤沢に行える前提とし、入力バッファ２０１が枯渇する事は異常と判別し、再生動作のリカバリーを行うケースがおおい。本形態では、デコーダ１０４は、入力バッファ２０１のＡＶデータが枯渇したとしても、リカバリー処理を実施せず入力バッファ２０１にデータが供給される事を待ち続ける。デコーダ１０４が入力バッファ２０１にデータが供給される事を待っている間、エンコーダ１０５も停止する。結果として、光ディスクメディア９０１の読み出し速度でレート変換ダビングが行われる。このようにする事で、低速な光ディスクメディアに対しても、できる限り高速にレート変換ダビングを行う事が可能と成る。
【００６０】
以上のように、添付図面および詳細な説明によって、出願人がベストモードと考える実施の形態と他の実施の形態とを提供した。これらは、特定の実施の形態を参照することにより、当業者に対して、特許請求の範囲に記載の主題を例証するために提供されるものである。したがって、特許請求の範囲またはその均等の範囲において、上述の実施の形態に対して、種々の変更、置き換え、付加、省略などを行うことができる。
【産業上の利用可能性】
【００６１】
本開示は、ＡＶデータのダビングする記録装置に適用可能である。具体的には、ＢＤレコーダ、ＨＤＤレコーダ、ＤＶＤレコーダ等に適用可能である。
【符号の説明】
【００６２】
１００    記録再生装置
１０１    入力ドライブ制御部
１０２    再生メモリ
１０３    生成部
１０４    デコーダ
１０５    エンコーダ
１０６    モニタ出力部
１０７    記録メモリ
１０８    ＨＤＤ
１０９    モニタ
１１０    出力ドライブ制御部
１１１    光ディスクメディア
１１２    チューナ
１１３    アンテナ
２０１    入力バッファ
２０２    復号器
２０３    フレームバッファ
３０１    入力バッファ
３０２    復号器
３０３    フレームバッファ
３０４    エンコーダ
３１１    入力バッファ
３１２    復号器
３１３    フレームバッファ
３１４    エンコーダ
９００    記録再生装置
９０１    光ディスクメディア
【図１】
2014002814.tif 000003
【図２】
2014002814.tif 000004
【図３】
2014002814.tif 000005
【図４】
2014002814.tif 000006
【図５】
2014002814.tif 000007
【図６】
2014002814.tif 000008
【図７】
2014002814.tif 000009
【図８】
2014002814.tif 000010
【図９】
2014002814.tif 000011